(57)【要約】      （修正有）【課題】ドライバー等の工具を用いたり、接続調整が難しかったりすることなく、設置されている水道のどんな蛇口形状にも適合し、水漏れもなく簡単でワンタッチで蛇口に取り付け取り外しが出来る。【解決手段】蛇口ホース接続器に蛇口Aの先端を挿入し、蛇口をひねって水圧がかかっても水漏れしないよう水漏れ防止用ゴム8を内部に取り付けておき、ステンレス製等のホースバンドで、蛇口が外れないよう固定した。【選択図】図５
0003113339.tif 000002
【実用新案登録請求の範囲】
【請求項１】
中が中空状で片側がホース接続側、他方が蛇口接続側の蛇口ホース接続器に於いて、蛇口接続側の先端より蛇口Aを挿入し蛇口Aの先端を水漏れ防止用ゴム8に押し当て水圧による水漏れを防ぎながら、ホースバンド6のハンドル4で蛇口Aを締め付け固定することが出来るようにした蛇口接続側に水漏れ防止用ゴム4とホースバンド(図6) を持った蛇口とホースを接続固定する蛇口ホース接続器。
【請求項２】
請求項1に於ける蛇口接続側の先端より蛇口Aを挿入し、蛇口Aの先端をバネ9によって押し上げられている水漏れ防止用ゴム8に押し当てながら水圧による水漏れを防ぎ、ホースバンド6のハンドル4にて蛇口Aを締め付け固定することが出来るようにした蛇口接続側にバネ9の付いた水漏れ防止用ゴム4とホースバンド(図6)を持った蛇口とホースを接続することが出来る蛇口ホース接続器。
【請求項３】
中が中空状で片側がホース接続側、他方が蛇口接続側の蛇口ホース接続器に於いて、蛇口ホース接続側の先端を二つ(11a、11b)に分割し、11a、11bの間に蛇口Aの先端を挿入し、11a、11bの内側に取り付けられた水漏れ防止用ゴム8 に蛇口Aの先端を密着させながら11a側を閉じる。11a、11bによって挟み込まれた蛇口Aは更に、内側にネジを切ったリングAと外側にネジを切った11a、11b のネジとで締め付け、蛇口と蛇口ホース接続器とを接続固定することが出来るようにした蛇口ホース接続器。
【考案の詳細な説明】
【技術分野】
【０００１】
本考案は水道等の蛇口とホースの接続に関するものである。
【背景技術】
【０００２】
水道蛇口の形状は色々あり、図1、図2、図3、の如くのものが代表的なものである。  蛇口そのものの形状の違いの他に先端の高さ形状H1,H2,H3等もそれぞれ違っており、これらの形状に合わせてホース等を蛇口に接続する方法として一般的に使用されているものが図４の如くものである。この方法を図4にて説明すると、接続器のE部分とB部分がワンタッチで外れるようになっており、まずEのみを蛇口に取り付ける必要がある。蛇口の先端をEの上方から挿入し器具内部に取り付けてある水漏れ防止用の硬質ゴム2に押し当てながら、Eに付いている3箇所のネジの先端で締め付けるという方法であり、事前に蛇口にEを取り付けて置いてから改めて本体のBをEに接続すると言う方法である。これはほとんどの蛇口形状にはとりあえず取付けられるという適合性を持っているが、しかしながらネジ止めという方法では蛇口に固定するのに工具のドライバー等が必要であり、水圧により水が噴出さないようにする為に蛇口を硬質ゴム2に強く押し当てながらネジを３点で少しずつバランスを取りながら締めなければならず時間がかかり調整が難しい。更に取り外す際にも再度ドライバー等で外さなければならず女性や子供では調整が難しいし、簡単にホースをつけて散水等をしようとする場合には面倒で時間がかかりすぎる。
【特許文献１】昭55-82890号公報
【特許文献２】特開2002-295757号公報
【考案の開示】
【考案が解決しようとする課題】
【０００３】
上記した従来例の如く水道の蛇口とホースを接続するにドライバー等の工具を用いたり、接続調整が難しかったりすることなく、設置されている水道のどんな蛇口形状にも適合し、且つ又水漏れもなく簡単でワンタッチで蛇口に取り付け取り外しが出来るような接続器具（コネクタとも呼ばれている)は出来ないかと考え考案したものである。
【課題を解決するための手段】
【０００４】
上述した如くの課題を解決する為の手段として、請求項1に係わるものは、蛇口Aの先
端を本考案品である蛇口ホース接続器に挿入し、蛇口をひねって水圧がかかっても水漏
れしないよう水漏れ防止用ゴム8で蛇口の先端を押さえながら、ホースバンド6でしっ
かり固定し、使用した後はホースバンド6のハンドル4を緩めて外せばいいように簡単
にしたものである。
【０００５】
請求項2に係わるものは、蛇口Aの先端を蛇口ホース接続器に挿入した後、水圧により水漏れのしないようバネ9により常に押し上げられている水漏れ防止用ゴム8と蛇口Aの先端を密着させ、ホースバンド6で蛇口が外れないよう固定し、使用した後はホースバンド6を緩めれば簡単に外れるようにしたものである。
【０００６】
請求項3に係わるものは、蛇口ホース接続器の先端を二つ(11a、11b)に分割し、11a、11bの内側に水漏れ防止用ゴム8を取り付けておく。11a、11bの間に蛇口Aを挿入し
水漏れ防止用ゴム8にて蛇口Aを包み込むように密着させながら11aを閉じる。
そして11a、11bの外側に切ったネジとリングBの内側に切ったネジとで蛇口を締め付け固定する。使用後はリングBのネジを緩めて外し11aを開ければ簡単に蛇口は外れる。
【考案の効果】
【０００７】
上述したように、すべての水道蛇口形状にも適合させることが出来る。蛇口を開けたときにかかるホース内の圧力でホースが蛇口から外れることがない。水圧がかかっても水が漏れることもないようにすることが出来る。工具のドライバー等を使わず簡単に取り付けられ取り外しが出来る等をすべて解決したものであり、従来品に比べ格段に気軽に家庭で散水等が出来るし、女性や子供でも取り扱いが簡単に出来る考案品である。
【考案を実施するための最良の形態】
【０００８】
以下の実施例1 及び実施例2  実施例3に示すとおりである。
【実施例１】
【０００９】
図5 は本考案の実施例に係わる請求項1の実施形態を示す。中が中空状の筒でプラスチック等の合成樹脂成型品で製作された蛇口ホース接続器の外観斜視図である。
図7は図5の断面図であり、図6はホース接続器の中に使用されるステンレス製等の金属ホースバンドの形状例である。全体的な機能構成は図4の既存品と同様にリングストッパー10を中心に上下二つの部分からなり、ホース接続側と蛇口接続側に分けられる。 
【００１０】
ホース接続側は図4と同様の構造で構成されておりホースDをリングC内に挿入し、締めつけ固定したもので一般的に使用されているものと同様であり、説明は省略する。蛇口接続側は挿入される蛇口Aが図1,図2,図3の如く形状が違い、且つ又高さH1,H2,H3も15mm〜20mmとそれぞれ違っている。これらに対応出来、且つ又確実に蛇口Aに接続する方法として、金属ホースバンド6  で締め付ける。金属ホースバンドは図6の如く一般的にはウオームと呼ばれるスクリューネジを用いてステンレス製等の帯状板をハンドル4等で回動させ締め付けるもので金属製で出来ている為、金属製の蛇口の外周との締め付けが強固である。図5の実施例に於いては、金属製のホースバンド (図6)をむき出しに取り付けず合成樹脂製の本体の中に入れハンドル4のみを外に出し成型したものである。ホースバンドのハンドル4  についても実施例では丸い形状にしたが、手で回動させるに便利な形状であればどんな形でもよい。ハンドル 4  の取付け位置も、図5では左側であるが右側でもかまわない。
更に蛇口ホース接続器の上方より蛇口の先端を挿入して行くと図7の如く水漏れ防止用ゴム 8にあたる。この水漏れ防止用ゴムに蛇口の先端を強く押し当てながらホースバンド6のハンドル4で蛇口を締め付ければ確実に固定することができ水漏れも防止できる。
【実施例２】
【００１１】
図8 は本考案の実施例2に係わる請求項2の実施形態を示す断面図である。本考案は
請求項1と構造上同様であるが、図7に示す如く水漏れ防止用ゴム8の下にバネ9  を設けたものである。このバネ9により水漏れ防止用ゴム8は絶えず押し上げられ、挿入された蛇口の先端と水漏れ防止用ゴム8とで強く押合いながら金属製ホースバンド6で蛇口の外周を締め付ければ確実に水漏れ防止が出来、且つホースも強固に固定される。尚この水漏れ防止用ゴム8  は図4 の既存品に使用されている硬質ゴムのような硬いゴムでなくともよいがあまり柔らかいと耐久的に問題が出る。蛇口を開いて水圧がかかったホース内で蛇口の先端との密着性がよく耐久性に優れていれば、ゴム等に限定することなく使用可能である。
【実施例３】
【００１２】
図 9、図10は本考案の実施例3に係わる請求項3の実施形態を示す外観斜視図である。図9は蛇口Aを挿入する前、図10は蛇口Aを挿入した後の状態を表した外観斜視図である。図11はリングBがまだ下におりた状態の断面図であり、図12はリングBが11a、11bをネジで締め付け固定した時の状態を表した断面図である。
【００１３】
本考案の実施例3に於いて図9は蛇口ホース接続器の上方を11a、11bと二つに分割し11bは固定、11aは蝶つがい12によって開閉できるよう可動させ、蛇口を上方より11a、11bの中に挿入し、内部に取り付けられた水漏れ防止用ゴム8で包み込むように11aを閉じる。そして11a、11bの外側に切ってあるネジとリングBの内側に切ってあるネジで締めて蛇口を固定する。図11は11a、11bで蛇口を閉じた状態でリングBはまだ下方に置かれている状態を表し、図12はリングBにて11a、11bを締め付け蛇口が固定された状態を表している。なお13の角度はリングBにて何回も締め付けている間に締め付けが緩んで水漏れの原因にもなりうるので多少の角度をつけておくことも出来る。
【００１４】
図13、図14はリングBがストッパー10で止まるよう直径W1を同じにした実施例の断面図である。図11及び図12はリングBがストッパー10を通り越してホース接続側のリングCにまで覆いかぶさっている。これは蛇口ホース接続器の全長を出来るだけ短くしホースが何らかの力によって引っ張られたときホース接続器が長いと外れやすいということを考えできるだけ全長を短くするためにしたものである。
【図面の簡単な説明】
【００１５】
【図１】現在使用されている水道蛇口の一般的な形状例である。
【図２】現在使用されている水道蛇口の一般的な形状例である。
【図３】現在使用されている水道蛇口の一般的な形状例である。
【図４】現在市販されている水道蛇口とホースの接続器具である。
【図５】本考案の実施例1、2に係わる蛇口ホース接続器の外観斜視図である。
【図６】本考案の実施例1、2に係わる蛇口ホース接続器内のホースバンドである。
【図７】本考案の実施例1に係わる蛇口ホース接続器の断面図である。
【図８】本考案の実施例2に係わる蛇口ホース接続器の断面図である。
【図９】本考案の実施例3に係わる蛇口ホース接続器の外観斜視図である。
【図１０】本考案の実施例3に係わる蛇口ホース接続器の外観斜視図である。
【図１１】本考案の実施例3に係わる蛇口ホース接続器の断面図である。
【図１２】本考案の実施例3に係わる蛇口ホース接続器の断面図である。
【図１３】本考案の実施例3に係わる蛇口ホース接続器の断面図である
【図１４】本考案の実施例3に係わる蛇口ホース接続器の断面図である
【符号の説明】
【００１６】
A    水道の蛇口
B    蛇口接続側リング
C    ホース接続側リング
D    ホース
E    蛇口取り付け部品
H1,H2,H3    蛇口の高さ 
W1    ストッパーCの直径
W2    リングBの直径
1    ネジ 
2    水漏れ防止用硬質ゴム 
3    既存コネクタ 
4      ホースバンド用ハンドル
５    樹脂製カバー
６    ステンレス製ホースバンド
７    ホースバンドハウジング
８    水漏れ防止用ゴム
９    バネ
10    リングストッパー
11a    蛇口可動ストッパーa
11b    蛇口固定ストッパーb
12    蝶つがい
【図１】
0003113339.tif 000003
【図２】
0003113339.tif 000004
【図３】
0003113339.tif 000005
【図４】
0003113339.tif 000006
【図５】
0003113339.tif 000007
【図６】
0003113339.tif 000008
【図７】
0003113339.tif 000009
【図８】
0003113339.tif 000010
【図９】
0003113339.tif 000011
【図１０】
0003113339.tif 000012
【図１１】
0003113339.tif 000013
【図１２】
0003113339.tif 000014
【図１３】
0003113339.tif 000015
【図１４】
0003113339.tif 000016
【手続補正書】
【提出日】平成17年6月2日(2005.6.2)
【手続補正１】
【補正対象書類名】実用新案登録請求の範囲
【補正対象項目名】全文
【補正方法】変更
【補正の内容】
【実用新案登録請求の範囲】
【請求項１】
中が中空状で片側がホース接続側、他方が蛇口接続側の蛇口ホース接続器に於いて、蛇口接続側の先端より蛇口Ａを挿入し蛇口Ａの先端を水漏れ防止用ゴム８に押し当て水圧による水漏れを防ぎながら、ホースバンド６のハンドル４で蛇口Ａを締め付け固定することが出来るようにした蛇口接続側に水漏れ防止用ゴム４とホースバンド６を持った蛇口とホースを接続固定する蛇口ホース接続器。
【請求項２】
請求項１に於ける蛇口接続側の先端より蛇口Ａを挿入し、蛇口Ａの先端をバネ９によって押し上げられている水漏れ防止用ゴム８に押し当てながら水圧による水漏れを防ぎ、ホースバンド６のハンドル４にて蛇口Ａを締め付け固定することが出来るようにした蛇口接続側にバネ９の付いた水漏れ防止用ゴム４とホースバンド６を持った蛇口とホースを接続することが出来る蛇口ホース接続器。
【手続補正２】
【補正対象書類名】明細書
【補正対象項目名】全文
【補正方法】変更
【補正の内容】
【考案の詳細な説明】
【技術分野】
【０００１】
本考案は水道等の蛇口とホースの接続に関するものである。
【背景技術】
【０００２】
水道蛇口の形状は色々あり、図１、図２、図３の如くのものが代表的なものである。蛇口そのものの形状の違いの他に先端の高さ形状Ｈ１、Ｈ２、Ｈ３等もそれぞれ違っており、これらの形状に合わせてホース等を蛇口に接続する方法として一般的に市販されているものが図４の如くものである。この方法は蛇口の形状が違っても高さＨ１、Ｈ２、Ｈ３等が違っても蛇口の先端を器具の上方に挿入し器具内部に取り付けてある水漏れ防止用の硬質ゴム２に押し当てながら蛇口Ａの３箇所をネジ先端で締め付けるという方法であり、ほとんどの形状にはとりあえず取付けられるという適合性を持っているが、しかしながらネジ止めという方法では蛇口に固定するのに工具のドライバが必要であり、水圧により水が噴出さないようにする為に蛇口を硬質のゴムに強く押し当てながらネジを３点で少しずつバランスを取りながら締めなければならず時間がかかり調整が難しい。更に取り外す際にも再度ドライバで外さなければならず女性や子供では調整が難しいし、簡単にホースをつけて散水等をしようとする場合には面倒で時間がかかりすぎる。
【考案の開示】
【考案が解決しようとする課題】
【０００３】
上記した従来例の如く水道の蛇口とホースを接続するにドライバ等の工具を用いたり、接続調整が難しかったりすることなく、設置されている水道のどんな蛇口形状にも適合し、且つ又水漏れもなく簡単でワンタッチで蛇口に取り付け取り外しが出来るような器具(コネクタとも呼ばれている)は出来ないかと考え考案したものである。
【課題を解決するための手段】
【０００４】
上述した如くの課題を解決する為の手段として、請求項１に係わるものは、蛇口Ａの先端を蛇口ホース接続器に挿入し、蛇口をひねって水圧がかかっても水漏れしないよう水漏れ防止用ゴム８で蛇口の先端を押さえながらホースバンド６でしっかり固定し、使用した後はホースバンドのハンドル４を緩めて外せばいいように簡単にしたものである。
【０００５】
請求項２に係わるものは、蛇口Ａの先端を蛇口ホース接続器に挿入した後、水圧により水漏れのしないようバネ９により常に押し上げられている水漏れ防止用ゴム８と蛇口Ａの先端を密着させ、ホースバンド６で蛇口が外れないよう固定し、使用した後はホースバンド６のハンドル４で緩めて外せば簡単に外れるようにしたものである。
【考案の効果】
【０００６】
上述したように、１．すべての水道蛇口形状にも適合させることが出来、２．蛇口を開けたときにかかるホース内の圧力でホースが蛇口から外れることがない。３．水圧がかかっても水が漏れることもないようにすることが出来る。４．工具のドライバー等を使わず簡単に取り付けられ取り外しが出来る等をすべて解決したものであり、従来品に比べ格段に気軽に家庭で使用出来るし、女性や子供でも扱いが簡単に出来る考案品である。
【考案を実施するための最良の形態】
【０００７】
以下の実施例１、及び実施例２、実施例３に示すとおりである。
【実施例１】
【０００８】
図５は本考案の実施例に係わる請求項１の実施形態を示す。中が中空状の筒でプラスチック等の合成樹脂成型品で製作された蛇口ホース接続器の外観斜視図である。
図７は図５の断面図であり、図６はホース接続器の中に使用されるステンレス製等の金属ホースバンドの形状例である。全体的な機能構成は図４の既存品と同様にリングストッパー１０を中心に上下二つの部分からなり、ホース接続側と蛇口接続側に分けられる。
ホース接続側は図４と同様の構造で構成されておりホースＤをリングＣ内に挿入し、締めつけ固定したもので一般的に使用されているものと同様である。蛇口接続側は図１、図２、図３の如く外観形状の違いがあり、且つ又高さＨ１、Ｈ２．Ｈ３も１５ｍｍ〜２０ｍｍとそれぞれ違っている。これらに対応出来、且つ又確実に蛇口Ａに接続する方法として、金属ホースバンド６で締め付ける。金属ホースバンド図６は一般的にはウオームを用いてステンレス製等の帯状板をハンドル４で回動させ締め付けるもので金属製で出来ている為、金属製の蛇口の外周との締め付けが強固である。図５の実施例に於いては、金属製のホースバンド をむき出しに取り付けず合成樹脂製の本体の中に入れハンドル４のみを外に出し一体成型したものである。ホースバンドのハンドル４についても実施例では丸い形状にしたが、手で回動させるに便利な形状であればどんな形でもよい。ハンドル４の取付け位置も、図５では左側であるが右側でもかまわない。更に蛇口ホース接続器の上方より蛇口の先端を挿入して行くと図７の如く水漏れ防止用ゴム８にあたる。この水漏れ防止用ゴムに蛇口の先端を強く押し当てながらホースバンドのハンドル４にて蛇口を締め付ければ確実に固定することができ水漏れも防止できる。
【０００９】
図８は本考案の実施例２に係わる請求項２の実施形態を示す断面図である。本発明は
請求項１と構造上同様であるが、図７に示す如く水漏れ防止用ゴム８の下にバネ９を設けたものである。このバネ９により水漏れ防止用ゴム８は絶えず押し上げられ、挿入された蛇口の先端と水漏れ防止用ゴム８とで強く押合いながら金属製ホースバンド６で蛇口の外周を締め付ければ確実に水漏れ防止が出来、且つホースも強固に固定される。尚この水漏れ防止用ゴム８は図４の既存品に使用されている硬質ゴムのような硬いゴムでなくともよいがあまり柔らかいと耐久的に問題が出る。蛇口を開いて水圧がかかったホース内で蛇口の先端との密着性がよく耐久性に優れていれば、ゴム等に限定することなく使用可能である。
【図面の簡単な説明】
【００１０】
【図１】現在使用されている水道蛇口の一般的な形状例である。
【図２】現在使用されている水道蛇口の一般的な形状例である。
【図３】現在使用されている水道蛇口の一般的な形状例である。
【図４】現在市販されている水道蛇口とホースの接続器具である。
【図５】本発明の実施例1に係わる蛇口ホース接続器の外観斜視図である。
【図６】本考案の実施例1に係わる蛇口ホース接続器内のホースバンドである。
【図７】本考案の実施例1に係わる蛇口ホース接続器の断面図である。
【図８】本考案の実施例2に係わる蛇口ホース接続器の断面図である。
【符号の説明】
【００１１】
Ａ        水道の蛇口
Ｂ        水漏れ防止用硬質ゴム
Ｃ        水道接続側ホース止めリング
Ｄ        水道ホース  
Ｈ１、Ｈ２、Ｈ３    蛇口の高さ
１        ネジ
２        水漏れ防止用硬質ゴム
４        ホースバンド用ハンドル
５        樹脂製カバー
６        ステンレス製ホースバンド
７        ホースバンドハウジング
８        水漏れ防止用ゴム
９        バネ
１０      リングストッパー
【手続補正３】
【補正対象書類名】図面
【補正対象項目名】全図
【補正方法】変更
【補正の内容】
【図１】
0003113339.tif 000017
【図２】
0003113339.tif 000018
【図３】
0003113339.tif 000019
【図４】
0003113339.tif 000020
【図５】
0003113339.tif 000021
【図６】
0003113339.tif 000022
【図７】
0003113339.tif 000023
【図８】
0003113339.tif 000024